(57)【要約】【課題】ハンドスタンプの不正使用や悪用を防止する。【解決手段】使用回数計数機構と、権限のない使用を防ぐためのセキュリティ要素とを備えるハンドスタンプ。使用回数計数機構は、外部シェルが保有し、スタンプ画像プラテンと相対的に移動するための内部シェル上に取り付けた磁石と、外部シェルが保有し、プラテンが印字位置に移動するときに、磁石と外部シェルとの間の移動を感知するための磁場センサと、センサ信号を表示装置のための信号に変換するためのＭＣＵとを含む。セキュリティ要素は、外部シェルに取り付けられ、ユーザの指紋を感知する印字センサを含む。ＭＣＵは、これらの信号を変換して、ブルートゥースモジュールを介して、権限のあるユーザの指紋信号を含有するスマートフォンに伝達する。指紋信号が一致する場合は、スマートフォンは承認信号をＭＣＵに送信し、ＭＣＵはハンドスタンプのロックを解除することによって応答する。【選択図】 図３
2018187913.tif 000002
【特許請求の範囲】
【請求項１】
ハンドスタンプであって、
中空の内部を有する外部シェルと、
前記外部シェルの前記中空の内部内に配置され、相対的に該内部を移動可能であり、中空の内部を有する内部シェルであって、前記内部シェルおよび前記外部シェルは共通の長手方向軸を有する内部シェルと、
前記内部シェル内の前記中空の内部内の前記外部シェルが保持するスタンプ画像と、
前記内部シェルと前記外部シェルとの間の付勢力を前記共通の長手方向軸に沿って第１の方向に提供する付勢装置と、
前記内部シェルと前記外部シェルとの間の前記共通の長手方向軸に沿った相対運動を制限する制限停止機構と、
前記内部シェルと前記外部シェルとの間の前記第１の方向への相対運動を、解除されるまで正常に予防するための解除可能なロック機構と、
前記外部シェルが保持し、ユーザの指紋が接触するときにユーザ識別信号を生成するための少なくとも１つのユーザ印字センサと、
前記ハンドスタンプが保持し、前記少なくとも１つの印字センサに結合し、前記識別信号を受信し、前記識別信号を送信可能な同等の信号に変換するように構成されるマイクロコントローラユニットと、
前記マイクロコントローラユニットに結合し、権限のあるユーザの印字信号を含む前記同等の信号を関連する装置に送信し、前記同等の信号が前記権限のあるユーザの印字信号と一致するとき、前記通信ユニットに解除信号を送信する通信ユニットであって、前記マイクロコントローラユニットは、前記通信ユニットからの前記解除信号の受領に応じて、使用するために前記ハンドスタンプのロックを解除するためのロック機構解除信号を生成するように構成される、通信ユニットと、
ロック解除されるとき、前記ハンドスタンプの使用回数を計数するための使用回数計数機構と、
を備える、発明。
【請求項２】
請求項１に記載の発明であって、前記付勢装置は、前記内部シェルと前記外部シェルとの間に取り付けられるばねを備える、発明。
【請求項３】
請求項１に記載の発明であって、前記解除可能なロック機構は、電気的に操作可能なソレノイドを備え、前記マイクロコントローラユニットは、前記通信ユニットによる前記解除信号の受領に応じて、ソレノイド起動信号を生成するように構成される、発明。
【請求項４】
請求項３に記載の発明であって、前記ソレノイドは前記外部シェルに取り付けられる本体部材と、非解除状態のとき、格納可能に前記本体部材に取り付けられ、前記内部シェルと係合するシャフトとを有する、発明。
【請求項５】
請求項１に記載の発明であって、前記少なくとも１つの印字センサは、前記外部シェル上の異なる位置に取り付けられる一対の印字センサを備え、前記印字センサの対のそれぞれは、前記マイクロコントローラユニットに結合する、発明。
【請求項６】
請求項１に記載の発明であって、前記制限停止機構は、前記内部シェルに接続し、その外側に延在する少なくとも１つのポストと、前記外部シェル内に形成される少なくとも１つのスロットとを備え、前記少なくとも１つのポストは前記少なくとも１つのスロット内に延在する、発明。
【請求項７】
通信ユニットはブルートゥース通信ユニットを備える、請求項１に記載の発明。
【請求項８】
請求項１に記載の発明であって、前記使用回数計数機構は、前記内部シェルおよび前記外部シェルのうちの１つが保有する磁場を生成するための磁石と、前記内部シェルおよび前記外部シェルのうちの他方が有する磁場センサとを備え、前記磁場センサは、前記スタンプ画像が印字位置まで移動することによって、前記磁石が生成する前記磁場の値の変更を感知し、前記磁場センサは前記マイクロコントローラユニットに結合され、前記マイクロコントローラはカウンタを備えるように構成され、前記カウンタは、前記磁場センサが感知する、前記スタンプ画像が前記印字位置まで移動する回数を計数する、発明。
【請求項９】
請求項８に記載の発明であって、前記使用回数計数機構はさらに、前記カウンタの内容を表示するために前記マイクロコントローラユニットに結合する表示装置を備える、発明。
【請求項１０】
権限のない使用を予防するセキュリティ対策を有するハンドスタンプであって、前記ハンドスタンプは、
中空の内部を有する外部シェルと、
前記外部シェルの前記中空の内部内に配置され、相対的に該内部を移動可能であり、中空の内部を有する内部シェルであって、前記内部シェルおよび前記外部シェルは共通の長手方向軸を有する内部シェルと、
前記内部シェル内の前記中空の内部内の前記外部シェルが保持するスタンプ画像と、
前記内部シェルと前記外部シェルとの間の付勢力を前記共通の長手方向軸に沿って第１の方向に提供する付勢装置と、
前記内部シェルと前記外部シェルとの間の前記共通の長手方向軸に沿った相対運動を制限する制限停止機構と、
前記内部シェルと前記外部シェルとの間の前記第１の方向への相対運動を、解除されるまで正常に予防するための解除可能なロック機構と、
前記外部シェルが保持し、ユーザの指紋が接触するときにユーザ識別信号を生成するための少なくとも１つのユーザ印字センサと、
前記ハンドスタンプが保持し、前記少なくとも１つの印字センサに結合し、前記識別信号を受信し、前記識別信号を送信可能な同等の信号に変換するように構成されるマイクロコントローラユニットと、
前記マイクロコントローラユニットに結合し、権限のあるユーザの印字信号を含む前記同等の信号を関連する装置に送信し、前記同等の信号が前記権限のあるユーザの印字信号と一致するとき、前記通信ユニットに解除信号を送信する通信ユニットであって、前記マイクロコントローラユニットは、前記通信ユニットからの前記解除信号の受領に応じて、使用するために前記ハンドスタンプのロックを解除するためのロック機構解除信号を生成するように構成され、それによって権限のあるユーザの前記印字信号と一致する指紋を持つユーザのみが前記ハンドスタンプを操作可能となる、通信ユニットと、
を備える、ハンドスタンプ。
【請求項１１】
請求項１０に記載の発明であって、前記付勢装置は、前記内部シェルと前記外部シェルとの間に取り付けられるばねを備える、発明。
【請求項１２】
請求項１０に記載の発明であって、前記解除可能なロック機構は電気的に操作可能なソレノイドを備え、前記マイクロコントローラユニットは、前記通信ユニットによる前記解除信号の受領に応じて、ソレノイド起動信号を生成するように構成される、発明。
【請求項１３】
請求項１２に記載の発明であって、前記ソレノイドは、前記外部シェルおよびシャフトに取り付けられる本体部材を有し、非解除状態にあるとき、前記シャフトは前記本体部材に格納可能に取り付けられ、前記内部シェルと係合する、発明。
【請求項１４】
請求項１０に記載の発明であって、前記少なくとも１つの印字センサは、前記外部シェル上の異なる位置に取り付けられる一対の印字センサを備え、前記印字センサの対のそれぞれは、前記マイクロコントローラユニットに結合する、発明。
【請求項１５】
請求項１５に記載の発明であって、前記制限停止機構は、前記内部シェルに接続し、その外側に延在する少なくとも１つのポストと、前記外部シェル内に形成される少なくとも１つのスロットとを備え、前記少なくとも１つのポストは前記少なくとも１つのスロット内に延在する、発明。
【請求項１６】
通信ユニットはブルートゥース通信ユニットを備える、請求項１０に記載の発明。
【請求項１７】
ハンドスタンプの使用回数を計数するための使用回数計数機構を有するハンドスタンプであって、前記ハンドスタンプは、
中空の内部を有する外部シェルと、
前記外部シェルの前記中空の内部内に配置され、相対的に該内部を移動可能であり、中空の内部を有する内部シェルであって、前記内部シェルおよび前記外部シェルは共通の長手方向軸を有する内部シェルと、
前記内部シェル内の前記中空の内部内の前記外部シェルが保持するスタンプ画像と、
前記内部シェルと前記外部シェルとの間の付勢力を前記共通の長手方向軸に沿って第１の方向に提供する付勢装置と、
前記内部シェルと前記外部シェルとの間の前記共通の長手方向軸に沿った相対運動を制限する制限停止機構と、
前記内部シェルおよび前記外部シェルのうちの１つが保有する磁場を生成するための磁石と、
前記内部シェルおよび前記外部シェルのうちの他方が有する磁場センサであって、前記スタンプ画像が印字位置まで移動することによって、前記磁石が生成する前記磁場の値の変更を感知する磁場センサと、
前記ハンドスタンプが保有し、前記磁場センサに結合するマイクロコントローラユニットであって、前記マイクロコントローラは、前記磁場センサが感知する、前記印字位置まで前記スタンプ画像が移動する回数を計数するカウンタを備えるように構成される、マイクロコントローラユニットと、
を備える、ハンドスタンプ。
【請求項１８】
請求項１７に記載の発明であって、前記使用回数計数機構はさらに、前記マイクロコントローラユニットに結合し、前記カウンタの内容を表示するための表示装置を含む、発明。
【発明の詳細な説明】
【技術分野】
【０００１】
本発明は、書類およびその他の対象物に明確な画像で印をつけるために用いられるハンドスタンプに関する。より具体的には、本発明は、使用回数計数機能を有し、スマートフォンを介して認証されるユーザのみに使用が限定される、改良されたハンドスタンプに関する。
【０００２】
ハンドスタンプは、書類およびその他の対象物（段ボール箱など）に明確な画像で印をつけ、書類または対象物の識別または内容を証明する機能を果たすために、長く使われてきた。典型的なハンドスタンプは、共通の長手方向軸に沿って相互に直進運動を行うように組み立てられる、保護的な内部シェルと外部シェルの組み合わせを備える。中央に位置する支持軸部は１つの端部で外部シェルに接続し、一緒に移動する。スタンプ画像を有するスタンププラテンは軸部の他の端部上に配置される。インクパッドは、外部シェルの取り付け部分に枢動可能に接続し、それによってハンドスタンプが休止位置にあり、スタンププラテンが保護的な内部シェルに格納されているとき、インクパッドはスタンププラテンに接触する。外部シェルが共通の長手方向軸に沿って操作され、スタンププラテンが保護的な内部シェルを超えて延在するとき、インクパッドはスタンププラテンから枢動して離れる。操作力が何も外部シェルに加えられないとき、付勢機構はスタンププラテンを格納位置に維持する。この種類の既知のハンドスタンプの例は１９９８年３月１７日に登録された「ハンドスタンプ」という名称の特許文献１、２００５年５月１７日に登録された「ハンドスタンプおよびロッキングストレイジキャップ」という名称の特許文献２、および２０１４年８月２１日公開の「浸透印」という名称の特許文献３において開示されており、これらの開示は参照により本明細書に援用される。
【０００３】
前述のように、書類または対象物の識別または内容を証明するために、多くの既知のハンドスタンプが用いられる。たとえば、中国および日本では、銀行口座を開設するために、または他の銀行取引を行うために、個人に対して発行された独自の画像を有するハンドスタンプが必要である。同様に、法的に拘束力を持つ企業取引を行うために、企業またはその他の事業に対して発行された独自の画像を有するハンドスタンプが必要である。ハンドスタンプか貸し出された場合、またはハンドスタンプを盗まれた場合には、ハンドスタンプを用いる権限のない保有者が不正な取引をすることを予防する方法はない。既知のハンドスタンプには、このような権限のない使用に対する保護の対策は何もない。
【０００４】
多くの企業では、社印を個人的に保有することによって、企業に財政的または他の事業上の法的な契約を結ぶ権限を有する個人が、限定目的のためにのみ使用するようにという指示を与えて、一時的に社印の保有を別の従業員に移転することによって、該限定目的のために別の従業員にその権限を委任することは慣習である。たとえば、権限のある個人は、別の個人に社印を用いて、支払いのために限定数の会社振り出し小切手を認証するように指示することもある。権限のある個人が別の個人の社印使用を密接に監視しない限り、別の個人の社印の使用を制御する方法はなく、別の個人は認められた限定数以上の支払い用会社振り出し小切手の認証を自由に行える。既知のハンドスタンプは、代理権限をこのように悪用することに対し、何の保護も提供していない。
【先行技術文献】
【特許文献】
【０００５】
【特許文献１】米国特許第５，７２７，４６７号
【特許文献２】米国特許第６，８９２，６３８号
【特許文献３】米国特許出願第２０１４／０２３０６７１号
【発明の概要】
【０００６】
本発明は、前述の既知のハンドスタンプの不利点を持たないハンドスタンプを備える。本ハンドスタンプは、使用回数計数機能を搭載し、スマートフォンを介して権限を持つユーザのみに使用を制限する。
【０００７】
組み合わせの態様から、本発明は、使用回数計数機能と、権限のあるユーザ限定機能との両方を備えるハンドスタンプを備える。本態様によれば、本発明はハンドスタンプを備える。ハンドスタンプは、中空の内部を有する外部シェルと、外部シェルの中空の内部内に配置され、相対的に内部を移動可能であり、中空の内部を有する内部シェルであって、内部シェルおよび外部シェルは共通の長手方向軸を有する内部シェルと、内部シェル内の中空の内部内の外部シェルが保持するスタンプ画像と、内部シェルと外部シェルとの間の付勢力を共通の長手方向軸に沿って第１の方向に提供する付勢装置、好ましくはばねと、内部シェルと外部シェルとの間の共通の長手方向軸に沿った相対運動を制限する制限停止機構と、内部シェルと外部シェルとの間の第１の方向への相対運動を、解除されるまで正常に予防するための解除可能なロック機構と、外部シェルが保持し、ユーザの指紋が接触するときにユーザ識別信号を生成するための少なくとも１つのユーザ印字センサ、好ましくは一対の印字センサと、ハンドスタンプが保持し、少なくとも１つの印字センサに結合し、識別信号を受信し、識別信号を送信可能な同等の信号に変換するように構成されるマイクロコントローラユニットと、マイクロコントローラユニットに結合し、権限のあるユーザの印字信号を含む同等の信号を関連する装置に送信し、同等の信号が権限のあるユーザの印字信号と一致するとき、通信ユニットに解除信号を送信する通信ユニットであって、マイクロコントローラユニットは、通信ユニットからの解除信号の受領に応じて、使用するためのハンドスタンプのロックを解除するためのロック機構解除信号を生成するように構成される通信ユニットと、ロック解除されるとき、ハンドスタンプの使用回数を計数するための使用回数計数機構とを備える。
【０００８】
解除可能なロック機構は好ましくは、電気的に操作可能なソレノイドと、通信ユニットによる解除信号の受領に応じて、ソレノイド起動信号を生成するように構成されるマイクロコントローラユニットとを備える。ソレノイドは、外部シェルに取り付けられる本体部材と、非解除状態のとき、格納可能に本体部材に取り付けられ、内部シェルと係合するシャフトとを有する。
【０００９】
制限停止機構は、好ましくは、内部シェルに接続し、その外側に延在する少なくとも１つのポストと、外部シェル内に形成される少なくとも１つのスロットとを備え、少なくとも１つのポストは少なくとも１つのスロット内に延在する。
【００１０】
通信ユニットは、好ましくは、ブルートゥース（登録商標）通信ユニットを備える。
【００１１】
使用回数計数機構は、好ましくは、内部シェルおよび外部シェルのうちの１つが保有する磁場を生成するための磁石と、内部シェルおよび外部シェルのうちの他方が有する磁場センサとを備える。磁場センサは、スタンプ画像が印字位置まで移動することによって、磁石が生成する磁場の値の変更を感知する。磁場センサはマイクロコントローラユニットに結合される。マイクロコントローラはカウンタを備えるように構成される。カウンタは、磁場センサが感知する、スタンプ画像が印字位置まで移動する回数を計数する。使用回数計数機構は、好ましくは、カウンタの内容を表示するためにマイクロコントローラユニットに結合する表示装置をさらに含む。
【００１２】
権限のあるユーザ限定機能の観点から、本発明は、権限のない使用を予防するセキュリティ対策を有するハンドスタンプを備える。ハンドスタンプは、中空の内部を有する外部シェルと、外部シェルの中空の内部内に配置され、相対的に内部を移動可能であり、中空の内部を有する内部シェルであって、内部シェルおよび外部シェルは共通の長手方向軸を有する内部シェルと、内部シェル内の中空の内部内の外部シェルが保持するスタンプ画像と、内部シェルと外部シェルとの間の付勢力を共通の長手方向軸に沿って第１の方向に提供する付勢装置、好ましくはばねと、内部シェルと外部シェルとの間の共通の長手方向軸に沿った相対運動を制限する制限停止機構と、内部シェルと外部シェルとの間の第１の方向への相対運動を、解除されるまで正常に予防するための解除可能なロック機構と、外部シェルが保持し、ユーザの指紋が接触するときにユーザ識別信号を生成するための少なくとも１つのユーザ印字センサ、好ましくは一対の印字センサと、ハンドスタンプが保持し、少なくとも１つの印字センサに結合し、識別信号を受信し、識別信号を送信可能な同等の信号に変換するように構成されるマイクロコントローラユニットと、マイクロコントローラユニットに結合し、権限のあるユーザの印字信号を含む同等の信号を関連する装置に送信し、同等の信号が権限のあるユーザの印字信号と一致するとき、通信ユニットに解除信号を送信する通信ユニットであって、マイクロコントローラユニットは、通信ユニットからの解除信号の受領に応じて、使用するためのハンドスタンプのロックを解除するためのロック機構解除信号を生成するように構成される通信ユニット、好ましくはブルートゥース装置とを含む。解除信号によって、権限のあるユーザの印字信号と一致する指紋を持つユーザのみがハンドスタンプを操作することができる。
【００１３】
解除可能なロック機構は好ましくは、電気的に操作可能なソレノイドと、通信ユニットによる解除信号の受領に応じて、ソレノイド起動信号を生成するように構成されるマイクロコントローラユニットとを備える。ソレノイドは、外部シェルに取り付けられる本体部材と、非解除状態のとき、格納可能に本体部材に取り付けられ、内部シェルと係合するシャフトとを有する。
【００１４】
制限停止機構は、好ましくは、内部シェルに接続し、その外側に延在する少なくとも１つのポストと、外部シェル内に形成される少なくとも１つのスロットとを備え、少なくとも１つのポストは少なくとも１つのスロット内に延在する。
【００１５】
使用回数計数機能の態様から、本発明はハンドスタンプの使用回数を計数するための使用回数計数機構を有する。ハンドスタンプは中空の内部を有する外部シェルと、外部シェルの中空の内部内に配置され、相対的に内部を移動可能であり、中空の内部を有する内部シェルであって、内部シェルおよび外部シェルは共通の長手方向軸を有する内部シェルと、内部シェル内の中空の内部内の外部シェルが保持するスタンプ画像と、内部シェルと外部シェルとの間の付勢力を共通の長手方向軸に沿って第１の方向に提供する付勢装置、好ましくはばねと、内部シェルと外部シェルとの間の共通の長手方向軸に沿った相対運動を制限する制限停止機構と、内部シェルおよび外部シェルのうちの１つが保有する磁場を生成するための磁石と、内部シェルおよび外部シェルのうちの他方が有する磁場センサであって、スタンプ画像が印字位置まで移動することによって、磁石が生成する磁場の値の変更を感知する磁場センサと、ハンドスタンプが保有し、磁場センサに結合するマイクロコントローラユニットであって、マイクロコントローラは、磁場センサが感知する印字位置まで、スタンプ画像が移動する回数を計数するカウンタを備えるように構成される、マイクロコントローラユニットとを含む。
【００１６】
使用回数計数機構はさらに、好ましくはマイクロコントローラユニットに結合し、カウンタの内容を表示するための表示装置を含む。
【００１７】
本発明により製造されるハンドスタンプは、現在既知のハンドスタンプにはない２つの重要な機能を提供する。第１に、ＭＣＵおよび通信ユニットによって実現するセキュリティによって、ハンドスタンプが権限のあるユーザ以外の人物に使用されることを防ぐ。第２に、磁石、磁場センサおよびマイクロコントローラユニットによって実現する使用計数機能によって、有用な使用追跡機能をユーザおよび管理職に提供する。また、カウンタ表示を提供することによって、権限のあるユーザはハンドスタンプを実際に使用した回数を監視することができる。
【００１８】
本発明の性質および有利点を完全に理解するために、添付図と共に以下の詳細な説明を参照されたい。
【図面の簡単な説明】
【００１９】
【図１】本発明を組み込むハンドスタンプの好ましい実施形態の斜視図である。
【図２】スタンプを例示する図１の実施形態の底面平面図である。
【図３】ロック状態および休止状態にあるハンドスタンプの主要な機械部品を例示する図１の線３−３に沿った断面図である。
【図４】解除状態および起動状態にある主要な機械部品を例示する図３に類似する断面図である。
【図５】内部シェルポストおよび外部シェルスロットを例示する外部シェル１２の一部の拡大斜視図である。
【図６】図１の実施形態の電子システムを例示するブロック図である。
【発明を実施するための形態】
【００２０】
ここで図を参照すると、図１は本発明によるハンドスタンプの斜視図である。図から分かるように、ハンドスタンプは一般に符号１０で表し、外部シェル１２と、内部シェル１４とを有する。外部シェル１２上には、直径的に反対の位置に一対の印字センサ１５、１６が位置する。印字センサ１５、１６は、市販の既知の装置であり、センサ１５、１６と表面接触する個人独自の模様を持つ個人の指および親指の部分で外部シェル１２を握る個人の指紋および母印を示す信号を生成可能である。好ましい実施形態では、印字センサは、それぞれ、セルビア共和国ベルグラード市のＭｉｃｒｏＥｌｅｃｔｒｏｎｉｋａ社から入手可能なＭＩＫＲＯＥ−１７２２センサの種類である。その他の市販の印字センサを当業者の好みに応じて用いてもよい。
【００２１】
外部シェル１２の凹型の上面部分１７には、下記の用途を持つ表示装置１８が配置される。表示装置は、市販の電子製品が共通して有する複数の既知の表示装置、たとえば液晶表示装置、ＬＥＤ表示装置、および有機ＬＥＤ表示装置のなどのいずれか１つを備えていてもよい。
【００２２】
図２は図１の実施形態の底面図であり、外部シェル１２および内部シェル１４に対して中央に位置するスタンプ画像面２０を例示する。図から分かるように、表面２０上に形成される画像は、画像を表面に押し付けると正画像「ｉＭＤ」がいつでも印字されるように、正画像「ｉＭＤ」の反転である。
【００２３】
図３および図４は、図１の線３−３および４−４に沿った切断図であり、図１のハンドスタンプ１０の主要な機械部品および電子部品を例示する。両図から分かるように、外部シェル１２は、複数の部品を内包する中空の内部を有し、ハンドスタンプ１０の共通の長手方向軸に沿って外部シェル１２に対する直進運動を摺動可能に受容する内部シェル１４を含む。中央軸部２２は、スタンプ画像面２０をその底部に有し、接続軸２４およびプラットホーム２５によって外部シェル１２の上部内面２３に固定される。付勢ばね２７は、プラットホーム２５の下部表面と内部シェル１４の上端部２９との間に配置され、内部シェル１４を外部シェル１２の外側方向に付勢する。内部シェル１４と外部シェル１２との間にその結果生じる直進相対運動は、図５に例示するように、内部シェル１４に固定される外側に延在する一対のポスト３１と、外部シェル１２に形成される一対のスロット３３の下端部３２との間の相互作用によって制限される。ポスト３１はスロット３３を貫通して延在する。
【００２４】
プラットホーム２５上には、ブルートゥース通信ユニットおよびマイクロコントローラユニット（ＢＣＵ）を含むモジュール４１と、電力をモジュール４１に提供するバッテリ４２が取り付けられる。モジュール４１は好ましくは、ブルートゥースユニットとＭＣＵの両方を搭載する市販の単一の装置であり、ＭＣＵと個別のスマートフォンとの間のブルートゥース通信を以下の方法で提供する。好ましくは、モジュール４１は、テキサス州オースチン市のＳｉｌｉｃｏｎ  Ｌａｂｓ社から入手可能なＢＬＥ１１３−Ａ−Ｖ１装置の型である。
【００２５】
軸部２２の上面には、小型の電気的に操作可能なソレノイド４４が固定される。ソレノイド４４が非起動状態のとき格納可能なシャフト４５は内部シェル１４の上面２９を超えて外側に延在する。これによって、モジュール４１のＭＣＵ部からの制御信号によってソレノイド４４が起動されるまで、外部シェル１２が内部シェル１４に対して下方移動しないようにする。ソレノイド４４は好ましくは、中華人民共和国広東省東莞市の東莞市博順実業有限公司から入手可能なＢＳ−０３１９マイクロソレノイドの型である。
【００２６】
永久磁石４７は内部シェル１４に取り付けられ、または内部シェル１４内に取り付けられる。永久磁石４７は磁場センサ４８と以下の方法で協働する。磁場センサ４８は、たとえば磁石４７の通過を検出可能なホール効果センサなどの任意の既知の磁場センサであってもよい。センサ４８はモジュール４１のＭＣＵ部の専用入力に電気的に接続する。
【００２７】
図３は、ロック状態および休止状態にある図１のハンドスタンプを例示する。この状態で、付勢ばね２７は、ポスト３１がスロット３３の下端部に収納されるまで内部シェル１４を外部シェル１２に対して下部方向に付勢し、更なる上下部方向の移動を防ぐ。さらに、ソレノイドシャフト４５は内部シェル１４の上面２９と係合し、それによって内部シェル１４と外部シェル１２との間の上部方向への移動を防ぐ。
【００２８】
図４は、解除状態および起動状態にある図１のハンドスタンプを例示する。この状態で、ソレノイド４４は起動され、それによってソレノイドシャフト４５は格納されて、内部シェル１４が外部シェル１２に対して自由に上部方向に相対移動する。下部方向の力が外部シェル１２に加わると、結果として内部シェル１４と外部シェル１２との間に相対運動が生じ、それによって磁場センサ４８は磁石４７によって生成される磁場に接触し、信号を生成する。この信号はモジュール４１のＭＣＵ部に提供される。この信号はモジュール４１のＭＣＵ部によって使用される。これによってＭＣＵ部に構成されるカウンタの値が増加し、このカウンタの出力を用いて表示装置１８が駆動され、それによって表示装置１８はリアルタイムで印字回数を表示する。相対運動が継続するにつれて、ポスト３１がスロット３３の上端部３４と係合するまで軸部２２は下部方向に移動する。この位置において、スタンプ画像面２０は内部シェル１４の下端部下部に延在し、それによってスタンプ画像面２０と、画像が印字される書類または対象物表面とが接触可能となる。下部方向の力が除去されると、付勢ばね２７によって、ポスト３１がスロット３３の下部表面３２と係合するまで、内部シェル１４と外部シェル１２との間に相対運動が生じる。ソレノイド４４は次に、モジュール４１のＭＣＵ部によって動作が停止される。モジュール４１のＭＣＵ部は、内部シェル１４と外部シェル１２とを上記の方法で共にロックする。
【００２９】
図６は、図１の実施形態の電子システムを例示するブロック図である。図から分かるように、印字センサ１５、１６および磁場センサ４８の両方ともモジュール４１のＭＣＵ部の専用入力に結合する。モジュール４１のＭＣＵ部の異なる出力は、個別に表示装置１８およびソレノイド４４に結合する。表示装置１８に供給される情報は、モジュール４１のＭＣＵ部内に構成されるカウンタが有する、ハンドスタンプ１０の現在の使用回数である。ソレノイド４４に供給される情報は、後述するように、権限のあるユーザがハンドスタンプ１０を操作しているときにのみ生成可能なソレノイド起動信号である。
【００３０】
モジュール４１のブルートゥース部は双方向通信モードでハンドスタンプ１０とユーザのスマートフォン５０に結合する。ユーザのスマートフォン５０は、特別な専用ＡＰＰを備えるように構成され、ユーザのスマートフォン５０はモジュール４１とスマートフォン５０との間のデータ通信、およびスマートフォン５０と１または複数の権限のある管理職のスマートフォンとの間のデータ通信を可能にする。管理職のスマートフォンは、所望のユーザスマートフォン５０に、上司がハンドスタンプ１０の使用を許可することを望むユーザの印字情報を送信するように構成される。この印字情報はユーザスマートフォン５０に記憶される。
【００３１】
ユーザがハンドスタンプ１０を操作することを望むとき、ユーザは親指および１本の指を印字センサ１５、１６上に配置する。印字センサ１５、１６が生成する情報はモジュール４１のＭＣＵ部に結合され、この情報はユーザスマートフォン５０にモジュール４１のブルートゥース部を通じて中継される。ユーザスマートフォン５０は、モジュール４１から受信した情報を内部に記憶していた印字情報と比較する。適合するものがあれば、ユーザスマートフォンは許可信号をモジュール４１に送信し、モジュール４１のＭＣＵ部はソレノイド４４を起動し、それによって、ハンドスタンプ１０の操作が可能となる。適合するものがなければ、許可信号は送信されず、ハンドスタンプはロックされたままとなる。
【００３２】
ハンドスタンプの使用が許可されると、モジュールのＭＣＵ部はハンドスタンプ１０が操作される回数を計数し、表示装置１８はこの情報を表示する。現在の計数値もモジュール４１のブルートゥース部によってユーザのスマートフォン５０にリアルタイムで、または定期的な間隔を置いて送信されてもよい。ユーザのスマートフォン５０に含まれる計数情報も、自動的に管理職のスマートフォンにリアルタイムで、または定期的に送信されてもよい。またはこの情報を管理職のスマートフォンに依頼に応じて送信してもよい。このように、管理職は、ハンドスタンプ１０の使用をリアルタイムで、または定期的に監視することができる。ハンドスタンプ１０の使用回数が制限に達するときは、終了信号をユーザのスマートフォン５０に送信することによって、ハンドスタンプ１０の操作を終了することもできる。代替的に、許可された使用回数を最初に上司のスマートフォンからユーザのスマートフォン５０に送信し、実際の使用回数がその制限に達したときに、ユーザのスマートフォンが終了信号をモジュール４１に送信し、モジュール４１のＭＣＵ部がソレノイド４４の動作を終了してもよい。
【００３３】
ユーザのスマートフォンＡＰＰはまた、追加情報を蓄積し、上司のスマートフォンに中継してもよい。このような追加情報の例はユーザＩＤ、日付、およびユーザの位置（ユーザのスマートフォンのＧＰＳ機能を用いて）などである。図６のブロック５５は概略的に本機能を示す。
【００３４】
ここまでで明らかなように、本発明の教示により製造されるハンドスタンプは、既知のハンドスタンプでは今まで利用不能であった２つの顕著な有利点を組み込んでいる。第１に、モジュール４１のＭＣＵおよびブルートゥースユニットによって実現するセキュリティによって、権限のあるユーザ以外がハンドスタンプ１０を使用することを防ぐ。第２に、モジュール４１の磁石４７、磁場センサ４８およびＭＣＵによって実現する使用回数計数機能によって、有用な使用追跡機能を管理職に提供する。また、表示装置１８を提供することによって、権限のあるユーザはハンドスタンプ１０を実際に使用した回数を監視することができる。
【００３５】
前述の記載から、本発明の好ましい実施形態の完全な開示、様々な修正、代替構成および同等物が当業者には考案されるであろう。たとえば、印字センサ１５、１６は外部シェル１２の直径方向の反対の位置に配置されるように例示し、記載したが、これらの要素は外部シェル１２の表面上の、ユーザにとって便利な別の位置に配置されてもよい。さらに、本発明の好ましい実施形態では、対向して配置されるポスト３１およびスロット３３を例示し、記載したが、設計者の好みにしたがって、ポスト３１およびスロット３３の構成および数は異なっていてもよい。また、ソレノイド４４は軸部２２の上面に取り付けられ、ソレノイドシャフト４５は内部シェル１４の上面２９と係合可能であると例示し、記載したが、所望であれば、ソレノイド４４を外部シェル１２の内壁内に取り付け、ソレノイドシャフト４５は、内部シェル１４の外壁に形成されるクロスボアと係合可能であってもよい。最後に、本発明の好ましい実施形態は、前述の従来技術文献に示し、記載される従来のインク機構を持たないハンドスタンプとして例示し、記載したが、このような浸透印機構を本発明の教示により製造されるハンドスタンプに搭載してもよいことを理解されたい。したがって、上記の記載は本発明の限定と解釈されてはならず、本発明は添付請求項によって規定される。
【符号の説明】
【００３６】
１０    ：ハンドスタンプ
１２    ：外部シェル
１４    ：内部シェル
１５    ：印字センサ
１６    ：印字センサ
１７    ：上面部分
１８    ：表示装置
２０    ：スタンプ画像面
２２    ：軸部
２３    ：上部内面
２４    ：接続軸
２５    ：プラットホーム
２７    ：付勢ばね
２９    ：上端部
３１    ：ポスト
３２    ：下端部
３３    ：スロット
３４    ：上端部
４１    ：モジュール
４２    ：バッテリ
４４    ：ソレノイド
４５    ：シャフト
４７    ：磁石
４８    ：磁場センサ
５０    ：スマートフォン
５５    ：ブロック
【図１】
2018187913.tif 000003
【図２】
2018187913.tif 000004
【図３】
2018187913.tif 000005
【図４】
2018187913.tif 000006
【図５】
2018187913.tif 000007
【図６】
2018187913.tif 000008